(57)【要約】      （修正有）【課題】電磁波の低減、抑制を行えるうえに、片手で把持した場合の重量バランスを実現できる優れた刈込機の提供。【解決手段】本体部と該本体部の前方に設けられる刃部とを備え、前記本体部は、ケーシングと該ケーシングに内蔵する直流モータ４と該直流モータ４からの動力を前記刃部へ伝達する動力伝達手段８と、切断動作のＯＮ／ＯＦＦを切り替える操作ボタン５を備え、前記直流モータ４に電磁波吸収体６を接続した構成を有し、前記直流モータ４はその駆動軸４０を前方とした横置き配置とし、前記直流モータ４の後方に電磁波吸収体６を備えた。直流モータ４の後方位置となる電磁波吸収体収納部において、当該電磁波吸収体６の基板６３を保持するための吸収体保持用リブ９２を当該ケーシングの内壁１０ａから突設してある。そして前記電磁波吸収体６は、左右の当該吸収体保持用リブ９２によって挟持固定される。【選択図】図２
0003202720.tif 000002
【実用新案登録請求の範囲】
【請求項１】
本体部と該本体部の前方に設けられる刃部とを備え、前記本体部は、ケーシングと該ケーシングに内蔵する直流モータと該直流モータからの動力を前記刃部へ伝達する動力伝達手段と、切断動作のＯＮ／ＯＦＦを切り替える操作ボタンを備え、前記直流モータに電磁波吸収体を接続した構成を有する刈込機において、
ケーシングは直流モータ格納部とその後方に電磁波吸収体収納部を備え、前記直流モータはその駆動軸を前方とした横置き配置とし、前記直流モータの後方位置に電磁波吸収体を備えたことを特徴とする刈込機。
【請求項２】
モータの後方位置におけるケーシング内壁に、電磁波吸収体を保持するための吸収体保持用リブを突設し、電磁波吸収体は基板上に素子を配置し、当該基板を前記吸収体保持用リブで保持したことを特徴とする請求項１記載の刈込機。
【請求項３】
前記モータから前記操作ボタンに至る配線を含む配線部が、輻射ノイズの放射を抑制する放射抑制手段によって保持されていることを特徴とする請求項１又は２記載の刈込機。
【考案の詳細な説明】
【技術分野】
【０００１】
本考案は、主として刈込機に関し、特には内蔵するモータ等から発生する電磁波の漏洩を抑制するための電磁波抑制構造を備えた刈込機に関する。
【背景技術】
【０００２】
従来、生垣等の刈込や樹木の剪定等を行うために電動式の刈込機が使用される。  電動式の刈込機のうち特に操作性を向上させるべく片手持ちが可能な構成とした刈込機として、例えば、後方においてモータを有する駆動部と、前方において被加工部を加工する加工部を有するヘッド部との間に、前記モータの駆動力を前記加工部に伝動するための伝動軸を内蔵した把持部を備え、該把持部が把持されて略水平に使用される手持ち式電動工具であって、前記把持部は把持体部とモータを作動させる押しボタン式のスイッチとを有し、該スイッチはスイッチ本体と操作部材とを有して把持部の下面前部に配置され、前記伝動軸は把持部に水平に支持されるとともに、把持部の前部が後部に比べて下がった斜め形状に形成されることで把持体部の前部の下部内方に収納空間が形成され、該収納空間に前記スイッチ本体が収納され、操作部材が収納空間に出退自在に設けられ、重心を把持部において操作部材よりも後方に存在させていることを特徴とする手持ち式電動工具（例えば、特許文献１参照。）が公知である。  
【０００３】
また、前後長さ方向に沿う片側が櫛刃状を有する固定刃と、該固定刃に対して鋏作用方向に駆動する複数枚の可動刃、又は前後方向に水平駆動する櫛刃状の可動刃を備えた片刃構造を有するバリカン式の刈刃部が、ハウジングの前端部から前方に向けて突設され、該ハウジング内にはモータが搭載され、該モータによる回転動力が、該ハウジング内の前部に設けた歯車組により減速し水平回転運動に変換され、更に、この水平回転運動がクランクアームにより前後進退運動に変換されて、この前後進退動を通じて前記刈刃部の可動刃を鋏作用方向に駆動させる動力伝達構造を有する園芸用バリカン装置において、前記ハウジングは、前部を構成する膨出部と、該膨出部に続く長さ途中部から後端部に至る部分に相当する柄部とが設けられた一本の短尺中空略太棒形状を有し、前記柄部に前記モータの電源スイッチが設けられ、前記膨出部内に前記歯車組が設けられ、前記モータは、前記ハウジング内における前記長さ途中部よりも後方となる箇所に、軸芯を該ハウジングの長さ方向に沿う横向き姿勢で配置され、前記刈刃部を含めた装置全体の重心を、前記長さ途中部に位置させて、前記長さ途中部が最適な片手把持部となるように構成されていることを特徴とする園芸用バリカン装置（例えば、特許文献２参照。）が公知である。
【０００４】
また、刈込機における関連技術として、接点間のスパークを防止するものとして、例えば、電動モータを内蔵したモーターケース部と、前記電動モータにより駆動される作業部と、前記モーターケース部又は前記作業部に連結されたハンドルとを有した手持ち式電動作業機において、前記ハンドルのグリップ部内に配置された電源スイッチを介して前記電動モータへの電力供給が行われると共に、スパーク防止用コンデンサを前記電動モータの一対の端子間に介装し、かつ、前記スパーク防止用コンデンサを前記モーターケース部内に配置したことを特徴とする手持ち式電動作業機が公知である（例えば、特許文献３参照。）。
【０００５】
また、上記特許文献３における従来技術として、刈込機において、ノイズ（電磁波）の除去を目的として直流モータの両端にダイオードを配置する構成、或いは、電源スイッチの両端にコンデンサを介装すること（以下、先行技術４という。）とその配線図が記載されている（例えば、同特許文献１段落０００６、図９参照。）。
【先行技術文献】
【特許文献】
【０００６】
【特許文献１】特許第４５２４１６８号公報
【特許文献２】登録実用新案第３１９６４７７号公報
【特許文献３】特許第３２３０９３６号公報
【考案の概要】
【考案が解決しようとする課題】
【０００７】
上記特許文献１、２に開示されるような片手持ちでの操作を可能とする刈込機においては、太い枝等の切断に適した出力を発揮するモータを備えることが求められるとともに、作業負担を低減すべく軽量化・コンパクト化することが求められる。
【０００８】
ところで、前記モータは、上記事情から、太い枝等の切断に十分な出力を発揮できるものとする必要がある。直流モータは、起動トルクが大きく出力効率が優れることから、刈込機の用途として適する。そして、特に直流モータはその駆動によって電磁波を発生させる。
当該電磁波は配線内へ進入し、種々の装置等の誤作動を発生させ易い。このため、特に大型化した直流モータの場合には、このような電磁波による種々の装置等の誤作動を生じる虞があり、問題であった。
【０００９】
一方、上記特許文献３における手持ち式電動作業機は、後方側面にＵ字状のリアハンドルを備え、更にその後端部においてグリップ部を設けた構成としている。当該構成では、Ｕ字状のハンドルの基端側にモータを格納した本体を備えるものであることから、片手での操作は非常に困難であり、片手で操作可能な程度に軽量で且つ電磁波の大幅な低減、抑制を行える刈込機は、実現されていなかった。
【００１０】
また同特許文献１に開示される先行技術においては、電磁波の低減、抑制を行う上では、大容量のコンデンサやダイオード等の大型の電子部品をハンドルのグリップ等に収納することは困難であると開示されるところ、片手持ちが可能な前記特許文献１、２に開示される刈込機においても、同様に前記した軽量化、小型化を行う必要があり、同様にこれらの刈込機に対して大型の電子部品を配置させることは非常に困難であった。
【００１１】
本考案は以上の事情に鑑みてなされたものであり、片手で把持した場合の重量バランスを保持できる構成を備え、且つ、電磁波の低減、抑制を行うことができる優れた刈込機の提供を、本考案が解決しようとする課題とする。
【課題を解決するための手段】
【００１２】
本考案は、本体部と該本体部の前方に設けられる刃部とを備え、前記本体部は、ケーシングと該ケーシングに内蔵する直流モータと該直流モータからの動力を前記刃部へ伝達する動力伝達手段と、切断動作のＯＮ／ＯＦＦを切り替える操作ボタンを備え、前記直流モータに電磁波吸収体を接続した構成を有する刈込機において、ケーシングは直流モータ格納部とその後方に電磁波吸収体収納部を備え、前記直流モータはその駆動軸を前方とした横置き配置とし、前記直流モータの後方位置に電磁波吸収体を備えたことを特徴とする刈込機を、上記課題を解決するための手段とする。
【００１３】
また本考案は、上記考案を前提として、モータの後方位置におけるケーシング内壁に、電磁波吸収体を保持するための吸収体保持用リブを突設し、前記電磁波吸収体は基板上に素子を配置してなり、当該基板を前記吸収体保持用リブで保持したことを特徴とする刈込機を、上記課題を解決するための手段とする。ここで素子とはコンデンサ、ダイオード、インダクタ等の電気部品をいう。
【００１４】
また本考案は、上記何れかの考案を前提として、前記モータから前記操作ボタンに至る配線を含む配線部が、輻射ノイズの放射を抑制する放射抑制手段によって保持されていることを特徴とする刈込機を、上記課題を解決するための手段とする。
【考案の効果】
【００１５】
本考案によれば、本体部と該本体部の前方に設けられる刃部とを備え、前記本体部は、ケーシングと該ケーシングに内蔵する直流モータと該直流モータからの動力を前記刃部へ伝達する動力伝達手段と、切断動作のＯＮ／ＯＦＦを切り替える操作ボタンを備え、前記直流モータに電磁波吸収体を接続した構成を有する刈込機において、ケーシングは直流モータ格納部とその後方に電磁波吸収体収納部を備え、前記直流モータはその駆動軸を前方とした横置き配置とし、前記直流モータの後方位置に電磁波吸収体を備えたことから、コンパクトに電磁波吸収体を具備させることができ、且つ、片手での把持に適した重量配分が確保されて、主としてモータ内から発生される電磁波のうちを、当該直流モータに接続し、且つ、モータ後方に配置した電磁波吸収体によって、効率良く抑制できる利点を有する。
【図面の簡単な説明】
【００１６】
【図１】本考案の実施例に係る刈込機を示す（ａ）平面図、（ｂ）正面図である。
【図２】本考案の実施例に係る刈込機の本体部の一部拡大縦断面図である。
【図３】本考案の実施例に係る刈込機の電磁波吸収体の回路及びこれに接続される一部の配線を示す説明図である。
【考案を実施するための形態】
【００１７】
以下に本考案の実施例に係る刈込機Ｔを説明する。尚、本考案は上記実施例に限定されるものではなく、本考案の技術的思想を逸脱しない範囲において、種々の変形例、設計変更等を含む。
【実施例】
【００１８】
本考案の実施例に係る刈込機Ｔは、図１に示すように、本体部１と、該本体部１の前方に設けられる刈刃部２、当該本体部１の後方に設けられる電源コード３を備えている。
【００１９】
前記本体部１は、左右分割式のケーシング１ａと該ケーシング１ａ内に格納される直流モータ４と、該直流モータ４からの動力を前記刈刃部２へ伝達する動力伝達手段８と、操作ボタン５と、電磁波吸収体６と、前記電源コード３と連結される配線部７と、を備える。
【００２０】
ケーシング１ａのうち、その前方部分を幅広、嵩高となる膨出部１０とし、該膨出部１０の後端から後方へ連続する中央部分には握持部１１とし、該握持部１１の後方に連続して前記直流モータ格納部１２及び前記電磁波吸収体６を格納するための電磁波吸収体収納部１３として備え、該電磁波吸収体格納部１３の後端に連続して、両手持ち及び片手持ちを可能とする第二握持部１４を備える。
本実施例においては、操作スイッチは前記膨出部１０上に配置される。
【００２１】
電源コード３は、ケーシング１ａの後端側から内部回路へ接続してある。電源コード３を通じて外部の交流電源99から電力を供給する。
【００２２】
前記直流モータ４は、直流モータ格納部１２内に配置される。当該直流モータ４の駆動軸４０を前方とした横置き配置としてある。当該駆動軸４０は、絶縁性の連結部材９４を介して動力伝達手段の一部となる減速機（遊星ギヤ機構）９１の入力軸９１ａと連結されている。直流モータ４の後部には当該直流モータ４の端子４１が設けられている。
【００２３】
前記電磁波吸収体６は、図２及び図３に示すように、主として、コモンモードノイズを吸収するためのコンデンサ６０及びチョークコイル６１と、交流を直流へ変換するダイオード６２を有する回路を、基板６３上に構成したものである。
前記電源コード３からの配線は、前記電磁波吸収体６における前記コンデンサ６０、チョークコイル６１、ダイオード６２と接続される。
【００２４】
また、当該記電磁波吸収体６における前記ダイオード６２は直流回路へ接続されている。
前記直流回路は、図２及び図３に示すように、前記直流モータ４の他、サーキットプロテクタ９０、及び、前記操作ボタン５によってＯＮ／ＯＦＦの切替が可能なマイクロスイッチ５０を備える。マイクロスイッチ５０は膨出部１０に配置した構成としていることから、本体部１内の後端から前端側となる膨出部１０に至るまで配線部７が設置される。当該配線部７は、図３に示すように本体部１内のモータ４、各電気部品等を接続するものであり、電磁波遮断手段７０によって被覆してある。
【００２５】
直流モータ４の後方位置となる電磁波吸収体収納部１２において、当該電磁波吸収体６の基板６３を保持するための吸収体保持用リブ９２を当該ケーシング１ａの内壁１０ａから突設してある。そして前記電磁波吸収体６は、左右の当該吸収体保持用リブ９２によって挟持固定される。
【００２６】
本実施例における直流モータ収納部１２の前方からから膨出部１０内にかけて、動力伝達機構８を設けてある。直流モータ４の軸部４０から握持部１１内を通して前記膨出部１０の動力伝達機構８までの間には、減速機構（遊星ギヤ機構）９１及び第一伝達軸９３を設けてある。
【００２７】
前記直流モータ４からの出力を同軸上で減速機構９１により減速し、前記第一伝達軸９３によって膨出部１０に格納される動力伝達機構８へ伝達する。そして、当該動力伝達機構８により、刈刃部２におけるロッド２０を介して可動刃２１が動作し、固定刃２２と当該可動刃２１による切断を可能とするものである。
【００２８】
以上の構成によって、電源を投入して操作ボタン５を操作しマイクロスイッチ５０をＯＮにすると、直流モータ４が駆動し、その駆動に伴って発生したコモンモードノイズが回路を進入し、電磁波吸収体６に到達すると当該電磁波吸収体６におけるコンデンサ６０及びチョークコイル６１によって、主として当該コモンモードノイズを吸収することとなる。
【００２９】
また、直流モータ４の後方の近傍に配置することによって、空間に放射される電磁波（輻射ノイズ）を効率良く吸収することが期待できる。
【００３０】
また本実施例においては、上記したように配線部７に対して電磁波遮断手段９５を被覆した構成としていることによって、当該配線部７からの輻射ノイズの放射を防止することが期待できる。
【００３１】
尚、上記実施例においては、電磁波吸収体６は主としてコモンモードノイズの吸収、抑制を行うための構成としているが、本考案は当該実施例に限定されるものではなく、例えば、主としてノーマルモードノイズを抑制するものとすることができるし、これら双方を抑制することができる。
【００３２】
上記実施例においては、操作ボタン５若しくはマイクロスイッチ５０は、本体部における前方位置となる膨出部１０に配置しているが、本考案においては当該構成に限定されるものではなく、本体部１の握持部１１や、後方となる直流モータ収納部１２、第二握持部１４等に設けることもできる。
【００３３】
また上記実施例においては、電磁波吸収体６は、コンデンサ６０及びチョークコイル６１と、交流を直流へ変換するダイオード６２を有する回路を、基板６３上に設けた構成としているが、本考案は上記実施例に限定されるものではない。例えば、基板６３を設けることなく、回路の各素子等をケーシング１ａの内壁１０ａに保持するように構成することもできる。
【００３４】
また上記実施例においては、電磁波吸収体６は、素子として、コンデンサ、チョークコイル、ダイオードを有する構成としたが、本考案は上記実施例に限定するものではなく、設計事項等に応じて、適宜回路に対して素子の追加、変更を行うことができる。
【符号の説明】
【００３５】
Ｔ        刈込機
１        本体部
１ａ      ケーシング
１０      膨出部
１０ａ    内壁
１１      握持部
１２      直流モータ収納部
１３      電磁波吸収体収納部
１４      第二握持部
２        刈刃部
２０      ロッド
２１      可動刃
２２      固定刃
３        電源コード
４        直流モータ
４０      駆動軸
４１      端子
５        操作ボタン
５０      マイクロスイッチ
６        電磁波吸収体
６０      コンデンサ
６１      チョークコイル
６２      ダイオード
６３      基板
７        配線部
７０      電磁波遮断手段
８        動力伝達機構
９０      サーキットプロテクタ
９１      減速機構（遊星ギヤ機構）
９１ａ    入力軸
９２      吸収体保持用リブ
９３      第一伝達軸
９４      連結部材
９９      外部交流電源
【図１】
0003202720.tif 000003
【図２】
0003202720.tif 000004
【図３】
0003202720.tif 000005